(57)【要約】【課題】装置全体の薄型化を図ることが可能な光ディスク装置の提供。【解決手段】光ディスク装置は、装置本体１５と、トレイ７と、トレイ搬送駆動機構と、光ディスクドライブ装置２０と、クランパー１と、回動支点３ｂを有するクランパー駆動機構２と、回動支点２ｂ−２ｂ´を有するホルダー部材４と、クランパー姿勢保持アーム３とを具備する。クランパー１がクランパー駆動機構２の回動に伴って第１の位置から第２の位置へと移動した時、クランパー姿勢保持アーム３がクランパー駆動機構２の回動支点３ｂを中心としてクランパー１の一部を保持しながら回動し、クランパー１の光ディスクメディア１３に対する姿勢を変えないように保持する。【選択図】        図１
2004362627.tif 000002
【特許請求の範囲】
【請求項１】
光学的に情報の記録／再生が可能な光ディスクメディアを排出状態から装填状態へと搬送するトレイ搬送方式の光ディスク装置であって、
函状体からなる装置本体と、前記装置本体に対して出入自在な前記光ディスクメディアを載置するトレイと、前記装置本体の内部に配設された前記トレイの搬入／搬出を行うためのトレイ搬送駆動機構と、前記光ディスクメディアの光ディスクを載せて回転させるターンテーブルを有するスピンドルモータを備え、前記装置本体の内部に回動可能に配設された前記光ディスクに記録されている情報をピックアップして取り出すための光ディスクドライブ装置と、前記装置本体の内部に前記光ディスクドライブ装置の前記スピンドルモータのターンテーブルに臨んで近接・離間自在に配設された前記光ディスクをクランプするためのクランパーと、前記装置本体の内部に回動可能に配設された前記クランパーを保持するクランパー駆動機構と、前記装置本体の内部に固設された前記クランパー駆動機構の回動支点を有するホルダー部材と、前記クランパー駆動機構に回動可能に配設された前記クランパーの姿勢を前記光ディスクに対して常時変わらないように保持するクランパー姿勢保持部材とを具備し、前記クランパー駆動機構は、前記クランパー姿勢保持部材の回動支点を有し、前記トレイが前記トレイ搬送駆動機構によって前記装置本体の内部に搬入された時、前記光ディスクドライブ装置が前記スピンドルモータのターンテーブルを前記光ディスクに向って近接するように回動されると共に、前記クランパー駆動機構が前記トレイの搬入動作に連動して前記ホルダー部材の回動支点を中心として前記光ディスクドライブ装置と反対方向に回動され、前記クランパーが前記光ディスクを前記スピンドルモータのターンテーブル上にチャッキングする第１の位置に移動し、前記トレイが前記トレイ搬送駆動機構によって前記装置本体の内部から外部へと搬出された時、前記光ディスクドライブ装置が前記スピンドルモータのターンテーブルを前記光ディスクに対して離間するように回動されると共に、前記クランパー駆動機構が前記トレイの搬出動作に連動して前記ホルダー部材の回動支点を中心として前記光ディスクドライブ装置と反対方向に回動され、前記クランパーが前記光ディスクをチャッキングする第１の位置から前記スピンドルモータのターンテーブルから離間した第２の位置に移動し、前記クランパー姿勢保持部材は、前記クランパーが前記クランパー駆動機構の回動に伴って前記第１の位置から前記第２の位置へと移動した時、前記クランパー駆動機構の回動支点を中心として前記クランパーの一部を保持しながら回動し、前記クランパーの前記光ディスクメディアに対する姿勢を変えないように制御することを特徴とする光ディスク装置。
【請求項２】
上記クランパー姿勢保持部材により、上記第２の位置で上記クランパーの姿勢を上記光ディスクに対して常時変わらないように保持するために、上記クランパー駆動機構のクランパー保持部の前記クランパー姿勢保持部材側を、前記クランパーのフランジの直径よりも大きく切り欠いた請求項１に記載の光ディスク装置。
【請求項３】
上記装置本体の内部に固設した上記ホルダー部材の一部に、上記クランパーの姿勢を制御する上記クランパー姿勢保持部材の駆動部を設けた請求項１に記載の光ディスク装置。
【請求項４】
上記クランパー駆動機構の一部に、上記クランパーが第２の位置に達した時、上記クランパー姿勢保持部材の回動を停止させる回転防止部材を設けた請求項１に記載の光ディスク装置。
【請求項５】
上記クランパー姿勢保持部材の上記クランパーのフランジ間に入り込む上記クランパー保持部の厚さを、上記クランパー駆動機構のクランパー保持部の厚さに対して同じか、あるいはそれよりも薄くする請求項１に記載の光ディスク装置。
【請求項６】
上記クランパー姿勢保持部材の上記クランパー駆動機構の上記クランパー保持部に当接する当接部を磁性体とした請求項１に記載の光ディスク装置。
【発明の詳細な説明】
【０００１】
【発明の属する技術分野】
本発明は、記録又は再生が可能な記録媒体として互換性を備えた光ディスク及び光ディスクを内蔵したカートリッジを光ディスクメディアとして記録・再生する光ディスク装置に関するものである。
【０００２】
【従来の技術】
従来から、光ディスクや、カートリッジに格納された光ディスクなどの光ディスクメディアを、装置本体の外部に排出された状態から装置本体の内部に装填された状態へと搬送するトレイ搬送方式の光ディスク装置としては、ＣＤ（Ｃｏｍｐａｃｔ  Ｄｉｓｃ），ＤＶＤ（Ｄｉｇｉｔａｌ  Ｖｅｒｓａｔｉｌｅ  Ｄｉｓｋ）といったメディアに対応した装置があり、これらの装置では、裸の光ディスクメディアを装着状態に搬送し、唯一、ＤＶＤ−ＲＡＭ（Ｄｉｇｉｔａｌ  Ｖｅｒｓａｔｉｌｅ  Ｄｉｓｋ−Ｒａｎｄｏｍ  Ａｃｃｅｓｓ  Ｍｅｍｏｒｙ）メディアに関しては、光ディスクがカートリッジに内蔵されているため、ＤＶＤ―ＲＡＭカートリッジごと装置本体の内部に搬送し、光学的に情報を記録又は再生するものであり、ターンテーブル側、又は、クランパー側に磁石体部材を具備し、その対応する部材側に磁性体部材を設け、磁気力により光ディスクメディアのチャッキングを行うものが主である。
【０００３】
特許文献１で開示された従来例では、裸の光ディスクメディア、及びＤＶＤ―ＲＡＭカートリッジに対するクランパー機構の薄型化が挙げられており、図１０は、従来の光ディスク装置の要部の構成を示す上面図であり、トレイ７は、図示しないトレイ搬送駆動機構により光ディスクメディア、ＤＶＤ−ＲＡＭカートリッジ（図示せず）を搬送するものであり、装置本体の内部上方を覆ったホルダー部材４上に、クランパー１を保持するクランパー駆動機構２の回動支点２ｂ−２ｂ′及び付勢スプリング６が具備され、付勢スプリング６は、クランパー駆動機構２のクランパー保持部２ａを光ディスクメディア１３の光ディスク１３ａから離す方向に付勢力を与えるように取り付けられている。
【０００４】
図１１は、従来の光ディスク装置のクランパーの第１の位置における光ディスクのチャッキング状態を示す側面図、図１２は、従来の光ディスク装置のクランパーの第２の位置における光ディスクのチャッキング解放状態を示す側面図である。
図１１は、光ディスクメディア１３の光ディスク１３ａがチャッキングされている状態を示しており、トレイ７のトレイカム部７ａのカム上にクランパー駆動機構２のクランパー駆動操作部２ｃが当接し、付勢スプリング６の付勢力に抗した形でクランパー１を第１の位置で回転可能に保持している。
【０００５】
図１２は、光ディスクメディア１３の光ディスク１３ａがチャッキングされていない状態を示しており、トレイ７のトレイカム部７ａは、クランパー駆動機構２のクランパー駆動操作部２ｃと離れており、クランパー駆動機構２は、付勢スプリング６の付勢力によりクランパー駆動機構２のクランパー保持部２ａが上に持ち上げられ、クランパー１は、第２の位置に保持されている。
【０００６】
この光ディスク装置では、カートリッジに内蔵された光ディスクメディアとして現在市販されているＤＶＤ−ＲＡＭカートリッジの開口部分が光ディスク１３ａの上下に設けられているため、光ディスク１３ａから離れた位置のクランパー１と光ディスク１３ａをスピンドルモータ９のターンテーブル上にチャッキングした位置との高さとしての移動距離が小さくなっていることと、クランパー１のフランジ間の距離がクランパー駆動機構２により光ディスクメディア上方保持された時に、クランパー駆動機構２のクランパー保持部２ａの傾斜に依存せず、光ディスクメディア１３に対して平行になることができる大きさが必要であることが前提である。
【０００７】
また、特許文献２に開示された従来例では、クランパー自身を光ディスクに対して平行に近離移動させることにより、装置の薄型化を示しているが、この機構も同様に、カートリッジ前面が開口されていることが条件であり、カートリッジ前面が開口されていない場合、トレイ上のカムがカートリッジ範囲内まで形成されなければならず、クランパーの上下駆動ができないことになる。
【０００８】
【特許文献１】
特開平１０−３１２６２８号公報
【特許文献２】
特開平１１−１８５３４１号公報
【０００９】
【発明が解決しようとする課題】
しかしながら、カートリッジに内蔵された光ディスクメディアとして現在市販されているＤＶＤ−ＲＡＭカートリッジ（図示せず）では、開口部分が光ディスクの上下に設けられ、挿入側もそれに合わせて外周部分が切り欠かれているため、光ディスクから離れた位置のクランパーと光ディスクをターンテーブル上にチャッキングした位置との高さとしての移動距離が小さくすることが可能であるが、光ディスクとピックアップとのワーキングディスタンスが小さくなり、挿入方向のピックアップ側の切り欠きが大きくなると、カートリッジの強度不足の点からクランパー側のカートリッジの外縁部を切り欠くことが困難になり、カートリッジの光ディスク記録面の背面を開口しているにもかかわらず、外縁部はカートリッジの高さ寸法を確保しているディスク背面開放型カートリッジ１２が出てきている。
【００１０】
このようなディスク背面開放型カートリッジ１２の場合、図１２に示したように、従来例のクランパー駆動機構２によって第２の位置でクランパー１を上部保持した時、ディスク背面開放型カートリッジ１２の側面壁との衝突を回避するため、さらに上方にクランパー１を退避させる必要があるため、クランパー駆動機構２の回動量を増やすか、クランパー１のフランジ間距離を増やさなければならず、装置の薄型化は障害となる。
【００１１】
本発明は、上記の問題点に鑑みなされたものであり、光ディスクやカートリッジに内蔵された光ディスクなどの光ディスクメディアを操作可能にするため、クランパー駆動機構を具備することが必要であるが、カートリッジサイズの影響によるクランパー駆動機構の駆動量を増加させることなく、クランパーの逃げ量を確保するために、クランパー駆動機構にクランパーを別駆動する補助部材としてクランパー姿勢保持部材を設けてクランパーを光ディスクに対して常に平行に保持することにより、装置全体の薄型化を図ることを可能とした光ディスク装置を提供することを目的とする。
【００１２】
【課題を解決するための手段】
本発明の光ディスク装置は、光学的に情報の記録／再生が可能な光ディスクメディアを排出状態から装填状態へと搬送するトレイ搬送方式の光ディスク装置であって、函状体からなる装置本体と、前記装置本体に対して出入自在な前記光ディスクメディアを載置するトレイと、前記装置本体の内部に配設された前記トレイの搬入／搬出を行うためのトレイ搬送駆動機構と、前記光ディスクメディアの光ディスクを載せて回転させるターンテーブルを有するスピンドルモータを備え、前記装置本体の内部に回動可能に配設された前記光ディスクに記録されている情報をピックアップして取り出すための光ディスクドライブ装置と、前記装置本体の内部に前記光ディスクドライブ装置の前記スピンドルモータのターンテーブルに臨んで近接・離間自在に配設された前記光ディスクをクランプするためのクランパーと、前記装置本体の内部に回動可能に配設された前記クランパーを保持するクランパー駆動機構と、前記装置本体の内部に固設された前記クランパー駆動機構の回動支点を有するホルダー部材と、前記クランパー駆動機構に回動可能に配設された前記クランパーの姿勢を前記光ディスクに対して常時変わらないように保持するクランパー姿勢保持部材とを具備し、前記クランパー駆動機構が、前記クランパー姿勢保持部材の回動支点を有し、前記トレイが前記トレイ搬送駆動機構によって前記装置本体の内部に搬入された時、前記光ディスクドライブ装置が前記スピンドルモータのターンテーブルを前記光ディスクに向って近接するように回動されると共に、前記クランパー駆動機構が前記トレイの搬入動作に連動して前記ホルダー部材の回動支点を中心として前記光ディスクドライブ装置と反対方向に回動され、前記クランパーが前記光ディスクを前記スピンドルモータのターンテーブル上にチャッキングする第１の位置に移動し、前記トレイが前記トレイ搬送駆動機構によって前記装置本体の内部から外部へと搬出された時、前記光ディスクドライブ装置が前記スピンドルモータのターンテーブルを前記光ディスクに対して離間するように回動されると共に、前記クランパー駆動機構が前記トレイの搬出動作に連動して前記ホルダー部材の回動支点を中心として前記光ディスクドライブ装置と反対方向に回動され、前記クランパーが前記光ディスクをチャッキングする第１の位置から前記スピンドルモータのターンテーブルから離間した第２の位置に移動し、前記クランパー姿勢保持部材が、前記クランパーが前記クランパー駆動機構の回動に伴って前記第１の位置から前記第２の位置へと移動した時、前記クランパー駆動機構の回動支点を中心として前記クランパーの一部を保持しながら回動し、前記クランパーの前記光ディスクメディアに対する姿勢を変えないように制御することを特徴とする構成を有するものである。
【００１３】
本発明の光ディスク装置は、上記クランパー姿勢保持部材により、上記第２の位置で上記クランパーの姿勢を上記光ディスクに対して常時変わらないように保持するために、上記クランパー駆動機構のクランパー保持部の前記クランパー姿勢保持部材側を、前記クランパーのフランジの直径よりも大きく切り欠いてある。
【００１４】
本発明の光ディスク装置は、上記装置本体の内部に固設した上記ホルダー部材の一部に、上記クランパーの姿勢を制御する上記クランパー姿勢保持部材の駆動部を設けた。
【００１５】
本発明の光ディスク装置は、上記クランパー駆動機構の一部に、上記クランパーが第２の位置に達した時、上記クランパー姿勢保持部材の回動を停止させる回転防止部材を設けた。
【００１６】
本発明の光ディスク装置は、上記クランパー姿勢保持部材の上記クランパーのフランジ間に入り込む上記クランパー保持部の厚さを、上記クランパー駆動機構のクランパー保持部の厚さに対して同じか、あるいはそれよりも薄くした。
【００１７】
本発明の光ディスク装置は、上記クランパー姿勢保持部材の上記クランパー駆動機構の上記クランパー保持部に当接する当接部を磁性体としてある。
【００１８】
【発明の実施の形態】
本発明の実施の一形態について、図面に基づいて以下に詳細に説明する。
本発明の光ディスク装置は、光学的に情報の記録／再生が可能な光ディスクメディア１３を排出状態から装填状態へと搬送するトレイ搬送方式の装置である。
【００１９】
本発明の光ディスク装置は、函状体からなる装置本体１５と、装置本体１５に対して出入自在な光ディスクメディア１３を載置するトレイ７と、装置本体１５の内部に配設されたトレイ７の搬入／搬出を行うためのトレイ搬送駆動機構であるローディング駆動機構（図示せず）と、光ディスクメディア１３の光ディスク１３ａを載せて回転させるターンテーブル９ａを有するスピンドルモータ９を備え、装置本体１５の内部に回動可能に配設された光ディスク１３ａに記録されている情報をピックアップして取り出すための光ディスクドライブ装置２０と、装置本体１５の内部に光ディスクドライブ装置２０のスピンドルモータ９のターンテーブル９ａに臨んで近接・離間自在に配設された光ディスク１３ａをクランプするためのクランパー１と、装置本体１５の内部に回動可能に配設されたクランパー１を保持するクランパー駆動機構２と、装置本体１５の内部に固設されたクランパー駆動機構２のクランパー駆動機構回動支点２ｂ−２ｂ´を有するホルダー部材４と、クランパー駆動機構２に回動可能に配設されたクランパー１の姿勢を光ディスク１３ａに対して常時変わらないように保持するクランパー姿勢保持部材であるクランパー姿勢保持アーム３とを具備している。
【００２０】
本発明の光ディスク装置は、クランパー駆動機構２が、クランパー姿勢保持アーム３のクランパー姿勢保持部材回動支点３ｂを有し、トレイ７がローディング駆動機構によって装置本体１５の内部に搬入された時、光ディスクドライブ装置２０がスピンドルモータ９のターンテーブル９ａを光ディスク１３ａに向って近接するように回動されると共に、クランパー駆動機構２がトレイ７の搬入動作に連動してホルダー部材４のクランパー駆動機構回動支点２ｂ−２ｂ´を中心として光ディスクドライブ装置２０と反対方向に回動され、クランパー１が光ディスク１３ａをスピンドルモータ９のターンテーブル９ａ上にチャッキングする第１の位置に移動し、トレイ７がローディング駆動機構によって装置本体１５の内部から外部へと搬出された時、光ディスクドライブ装置２０がスピンドルモータ９のターンテーブル９ａを光ディスク１３ａに対して離間するように回動されると共に、クランパー駆動機構２がトレイ７の搬出動作に連動してホルダー部材４のクランパー駆動機構回動支点２ｂ−２ｂ´を中心として光ディスクドライブ装置２０と反対方向に回動され、クランパー１が光ディスク１３ａをチャッキングする第１の位置からスピンドルモータ９のターンテーブル９ａから離間した第２の位置に移動し、クランパー姿勢保持アーム３が、クランパー１がクランパー駆動機構２の回動に伴って第１の位置から第２の位置へと移動した時、クランパー駆動機構２のクランパー姿勢保持部材回動支点３ｂを中心としてクランパー１の一部を保持しながら回動し、クランパー１の光ディスクメディア１３に対する姿勢を変えないように制御する。
【００２１】
本発明の光ディスク装置は、クランパー姿勢保持アーム３により、第２の位置でクランパー１の姿勢を光ディスク１３ａに対して常時変わらないように所定の姿勢に保持するために、クランパー駆動機構２のクランパー保持部２ａのクランパー姿勢保持アーム３側を、クランパー１の下フランジ１ｂの直径よりも大きく切り欠いてある。
【００２２】
本発明の光ディスク装置は、装置本体１５の内部に固設したホルダー部材４の一部に、クランパー１の姿勢を制御するクランパー姿勢保持アーム３のクランパー姿勢保持部材駆動部４ａを設けてある。
【００２３】
本発明の光ディスク装置は、クランパー駆動機構２の一部に、クランパー１が第２の位置に達した時、クランパー姿勢保持アーム３の回動を停止させる回転防止部材２ｆを設けてある。
【００２４】
本発明の光ディスク装置は、クランパー姿勢保持アーム３のクランパー１の上フランジ１ａと下フランジ１ｂとの間に入り込むクランパー保持部３ａの厚さを、クランパー駆動機構２のクランパー保持部２ａの厚さに対して同じか、あるいはそれよりも薄くしてある。
【００２５】
本発明の光ディスク装置は、クランパー姿勢保持アーム３のクランパー駆動機構２のクランパー保持部２ａに当接する当接部であるクランパー姿勢保持部材ストッパー３ｄを磁石などの磁性体としてある。
【００２６】
本発明の光ディスク装置は、記録又は再生が可能な記録媒体としての光ディスク１３ａ，光ディスク１３ａのチャッキング面の逆側が開口しているカートリッジ内蔵型光ディスクなどの光ディスクメディア１３を載置したトレイ７の搬入又は搬出を行うトレイ搬送駆動機構であるローディング駆動機構と、装置本体１５の内部に搬入された光ディスク１３ａをチャッキングするためのターンテーブル９ａを有するスピンドルモータ９を備えた光ディスクドライブ装置２０と、光ディスク１３ａを挟んでその相対する方向にクランパー１とクランパー１を光ディスク１３ａに対して接離可能に保持するクランパー駆動機構２とを具備しており、そのクランパー駆動機構２は、装置本体１５の内部に設けられた装置本体１５の内部上方を覆うホルダー部材４上にクランパー駆動機構回動支点２ｂ−２ｂ´を有し、ローディング駆動機構によるトレイ７の搬入又は搬出駆動に連動して回動可能に具備され、光ディスク１３ａあるいはカートリッジが装置本体１５の内部に搬入された時、トレイ７の搬入動作に連動してホルダー部材４上のクランパー駆動機構回動支点２ｂ−２ｂ´を中心に回動するクランパー駆動機構２に保持されたクランパー１が移動して、クランパー１が光ディスク１３ａをスピンドルモータ９のターンテーブル９ａ上にチャッキングする第１の位置に移動し、光ディスク１３ａあるいはカートリッジが装置本体１５の内部から外部へと搬出される時、トレイ７の搬出動作に連動して前記回動方向と逆方向に回動するクランパー駆動機構２により、クランパー１が第１の位置である光ディスク１３ａのチャッキング位置から離間し、クランパー１が光ディスク１３ａあるいはカートリッジから所定距離を有する第２の位置に移動し、第２の位置でクランパー１を保持することを可能とし、クランパー１がクランパー駆動機構２の回動によって、第１の位置から第２の位置へと移動した時、クランパー駆動機構２上にクランパー姿勢保持部材回動支点３ｂを有し、回動可能に具備されたクランパー姿勢保持アーム３がクランパー駆動機構２の回動に連動して、クランパー１の一部を保持してクランパー１の姿勢を変えないようにすることにより、クランパー１の光ディスク１３ａあるいはカートリッジに対する姿勢を制御することを可能とした。
【００２７】
本発明の光ディスク装置は、クランパー１の姿勢を制御するクランパー姿勢保持アーム３のクランパー姿勢保持部材駆動部４ａを、クランパー駆動機構２のクランパー駆動機構回動支点２ｂ−２ｂ´を有する装置本体１５の内部上方を覆う固定されたホルダー部材４の一部に設けている。
【００２８】
本発明の光ディスク装置は、クランパー１が第２の位置に達した時、クランパー１を所定姿勢に保持するクランパー駆動機構２上にクランパー姿勢保持部材回動支点３ｂを有するクランパー姿勢保持アーム３の回動を停止させる回転防止部材２ｆを設けることにより、ホルダー部材４上に設けられたクランパー姿勢保持アーム３のクランパー姿勢保持部材駆動部４ａがクランパー姿勢保持アーム３と当接しているために、クランパー姿勢保持アーム３の回動が停止すると、クランパー姿勢保持アーム３がストッパーとなり、ホルダー部材４上にクランパー駆動機構回動支点２ｂ−２ｂ´を有するクランパー駆動機構２の回動も停止させるようになっている。
【００２９】
本発明の光ディスク装置は、クランパー１の姿勢を保持するクランパー姿勢保持アーム３のクランパー保持部３ａの一部が、クランパー１の上フランジ１ａと下フランジ１ｂとの間に入り込み、クランパー姿勢保持アーム３のクランパー保持部３ａの厚さがクランパー駆動機構２のクランパー保持部２ａに対して同じ厚さか、あるいはそれよりも薄い厚さとする。
【００３０】
本発明の光ディスク装置は、クランパー保持部３ａに設けられたクランパー姿勢保持アーム３のクランパー駆動機構２のクランパー保持部２ａとの当接部であるクランパー姿勢保持部材ストッパー３ｄを磁性体とした。
【００３１】
以下、本発明の実施の形態について、図１から図９に示す図面を参照して説明する。
図１は、本発明に係る一実施形態の光ディスク装置の要部の構成を示す上面図である。
クランパー１は、クランパー駆動機構２のクランパー保持部２ａとクランパー姿勢保持アーム３のクランパー保持部３ａとによって所定円周内に保持されている。
【００３２】
クランパー駆動機構２は、外フレーム８の内部に固設したホルダー部材４上に設けられたクランパー駆動機構回動支点２ｂ−２ｂ´を回動支点中心として回動されるようになっており、一方にクランパー保持部２ａを有し、他方にクランパー駆動操作部２ｃを有し、ホルダー部材４上に配設された付勢スプリング６の付勢力により常時一方向に付勢されている。
【００３３】
また、クランパー駆動機構２は、クランパー１の下フランジ１ｂの直径よりも大きく切り欠かれ、クランパー１の外周を受けていない切り欠きをクランパー保持部２ａの一部に設けたクランパー保持切り欠き部２ｄを有し、そのクランパー保持切り欠き部２ｄにクランパー姿勢保持アーム３を配置するように構成されている。
【００３４】
クランパー姿勢保持アーム３は、クランパー駆動機構２にクランパー姿勢保持部材回動支点３ｂを設けて具備され、付勢スプリング５，５の付勢力によりクランパー駆動機構２のクランパー保持部２ａの厚さ内に収まるようにクランパー駆動機構２上に向って付勢され、ホルダー部材４上に設けられたクランパー姿勢保持部材駆動部４ａによりクランパー駆動機構２の動きに連動して回動するようになっている。
【００３５】
トレイ７は、トレイ搬送駆動機構であるローディング駆動機構（図示せず）によって、光ディスク１３ａやクランパー内蔵型カートリッジ１１やディスク背面開放型カートリッジ１２などの光ディスクメディア１３を装置本体１５の内部に搬入したり、あるいは、装置本体１５の外部に搬出したりする。
【００３６】
図２は、本発明に係る一実施形態の光ディスク装置のクランパーの第１の位置における光ディスクのチャッキング状態を示す側面図、図３は、本発明に係る一実施形態の光ディスク装置のクランパーの第２の位置における光ディスクのチャッキング解放状態を示す側面図である。
図２は、ディスク背面開放型カートリッジ１２がローディング駆動機構によりトレイ７と共に装置本体１５の内部に搬入され、光ディスクメディア１３の光ディスク１３ａがチャッキングされた状態のクランパー１の第１の位置を示しており、図３は、ディスク背面開放型カートリッジ１２がローディング駆動機構によりトレイ７と共に装置本体１５の外部に搬出された状態で、クランパー１の第２の位置にクランパー１がクランパー駆動機構２により保持されていることを示している。
【００３７】
図２において、ディスク背面開放型カートリッジ１２は、光ディスクドライブ装置２０のディスクドライブシャーシ１０によりホールドされ、光ディスクメディア１３の光ディスク１３ａが光ディスクドライブ装置２０のスピンドルモータ９のターンテーブル９ａとクランパー１により回転可能に拘束されている。
【００３８】
クランパー駆動機構２は、クランパー駆動操作部２ｃを有し、搬入移動するトレイ７に設けられたトレイカム部７ａがクランパー駆動機構２のクランパー駆動操作部２ｃに当接し、トレイ７の搬入が完了した時点で、トレイ７のトレイカム部７ａによって、クランパー駆動機構２のクランパー駆動操作部２ｃがクランパー１を光ディスクメディア１３の光ディスク１３ａを拘束可能な第１の位置であるチャッキング位置に保持される。
【００３９】
この時、クランパー駆動機構２は、付勢スプリング６の付勢力によりクランパー駆動機構回動支点２ｂ−２ｂ´を中心としてトレイ７のトレイカム部７ａの上面に向って付勢されている。
【００４０】
また、クランパー姿勢保持アーム３は、クランパー１の回転を妨げることなく、付勢スプリング５，５の付勢力によりクランパー駆動機構２上に向って付勢されている。
【００４１】
図３においては、トレイ７がディスク背面開放型カートリッジ１２を保持した状態でローディング駆動機構（図示せず）によって装置本体１５の外部に搬出されており、トレイ７のトレイカム部７ａとクランパー駆動機構２のクランパー駆動操作部２ｃとは完全に離れている。
この状態で、クランパー駆動機構２は、付勢スプリング６の付勢力によって、光ディスクドライブ装置２０のディスクドライブシャーシ１０上に具備されたスピンドルモータ９から離れる方向にホルダー部材４のクランパー駆動機構回動支点２ｂ−２ｂ´を中心として回動する。
【００４２】
この動きによって、クランパー１は、クランパー駆動機構２のクランパー保持部２ａに保持された状態で第１の位置から移動し、クランパー駆動機構２の回動に連動して、クランパー姿勢保持アーム３のクランパー姿勢保持部材駆動操作部３ｃがホルダー部材４のクランパー姿勢保持部材駆動部４ａと当接し、クランパー姿勢保持アーム３が付勢スプリング５，５の付勢力に抗しながらクランパー姿勢保持部材回動支点３ｂを中心として回動し、クランパー１のクランパー駆動機構２のクランパー保持部２ａによる保持部の他端を保持し、クランパー駆動機構２がホルダー部材４のストッパー面に付勢され、クランパー姿勢保持アーム３の回動が停止した時、クランパー１は、クランパー駆動機構２のクランパー保持部２ａとクランパー姿勢保持アーム３のクランパー保持部３ａによって、第２の位置に保持される。
【００４３】
次に、クランパー姿勢保持アーム３の詳細な動作に関して、図４〜図９を用いて説明する。
図４は、本発明に係る一実施形態の光ディスク装置のクランパーの第１の位置における光ディスクのチャッキング状態を詳細に示す側面図、図５は、本発明に係る一実施形態の光ディスク装置のクランパーの第１の位置から第２の位置への移動中間位置における光ディスクのチャッキング解放途中の状態を詳細に示す側面図、図６は、本発明に係る一実施形態の光ディスク装置のクランパーの第２の位置における光ディスクのチャッキング解放状態を詳細に示す側面図である。
図７は、本発明に係る一実施形態の光ディスク装置の要部の構造を詳細に示す上面図である。
図８は、本発明に係る一実施形態の光ディスク装置のクランパーの第１の位置におけるクランパー姿勢保持部材の周辺を詳細に示す側面図である。
図９は、本発明に係る一実施形態の光ディスク装置のクランパーの第２の位置におけるクランパー姿勢保持部材の周辺を詳細に示す側面図である。
図７では、クランパー姿勢保持アーム３の周辺においてクランパー１の第１の位置における上面詳細図を示している。
クランパー１の上フランジ１ａの一部を切り欠いて表示することにより、クランパー姿勢保持アーム３のクランパー保持部３ａを示した。
【００４４】
クランパー姿勢保持アーム３のクランパー保持部３ａは、クランパー１のフランジ１ａ，１ｂ間で、クランパー駆動機構２のクランパー保持部２ａの形状が成す円周に接するように先端部が配置されており、クランパー駆動機構２に形成されたクランパー姿勢保持部材支点部２ｅとクランパー姿勢保持部材回動支点３ｂにて回動可能に係合され、付勢スプリング５，５によって（図１参照）、クランパー駆動機構２のクランパー保持部２ａ上にクランパー姿勢保持部材ストッパー３ｄが当接する形で付勢されている。
【００４５】
クランパー１が第１の位置から第２の位置へと移動する過程において、クランパー姿勢保持アーム３のクランパー姿勢保持部材駆動操作部３ｃとホルダー部材４のクランパー姿勢保持部材駆動部４ａが当接し、クランパー姿勢保持部材回動支点３ｂを中心として、クランパー姿勢保持アーム３が回動し、クランパー姿勢保持アーム３のクランパー保持部３ａの端縁がクランパー１の上フランジ１ａに当接し、クランパー姿勢保持アーム３はクランパー１の光ディスク１３ａに対する姿勢が変わらないように所定の姿勢に保持する。
【００４６】
図４及び図８は、図２と同様にクランパー１の第１の位置における側面を示した詳細図である。
図２及び図４では、トレイ７のトレイカム部７ａとクランパー駆動機構２のクランパー駆動操作部２ｃが当接しており、クランパー１は第１の位置に保持されている。
【００４７】
クランパー姿勢保持アーム３は、付勢スプリング５，５によって、クランパー姿勢保持部材ストッパー３ｄがクランパー駆動機構２のクランパー保持部２ａに当接する形で付勢されることにより、クランパー駆動機構２のクランパー保持部２ａの成す所定平面内に保持されており、クランパー１の回転には影響を与えない。
この時点では、図８に示すように、ホルダー部材４に設けられたクランパー姿勢保持部材駆動部４ａとクランパー姿勢保持アーム３のクランパー姿勢保持部材駆動操作部３ｃが明確に離れており、接触することはない。
【００４８】
ここで、ディスク背面開放型カートリッジ１２を装置本体１５の外部に排出する指令を与えると、ローディング駆動機構（図示せず）によって、トレイ７の移動が始まり、図５に示したトレイ７の位置では、クランパー駆動機構２が、クランパー駆動機構２のクランパー駆動操作部２ｃが付勢スプリング６の付勢力によりトレイ７のトレイカム部７ａのカム形状に沿って動き、クランパー駆動機構２がホルダー部材４のクランパー駆動機構回動支点２ｂ−２ｂ´を中心として回動し、クランパー１を第１の位置から持ち上げており、その過程において、クランパー姿勢保持アーム３のクランパー姿勢保持部材駆動操作部３ｃがホルダー部材４のクランパー姿勢保持部材駆動部４ａに当接し、クランパー姿勢保持部材回動支点３ｂを中心にクランパー姿勢保持アーム３が図８の反時計方向に回動し、図９に示すように、クランパー姿勢保持アーム３のクランパー保持部３ａの端縁がクランパー１の上フランジ１ａと当接して、クランパー１の姿勢を変わらないように保持している。
この姿勢の保持をしながら、クランパー姿勢保持アーム３が回動し、図６及び図９に示したクランパー１の第２の位置にクランパー１が保持される。
【００４９】
図９に示したように、クランパー１は、クランパー姿勢保持アーム３のクランパー保持部３ａによって上フランジ１ａを保持され、平行な姿勢に保持されている。
この時、クランパー駆動機構２のクランパー保持部２ａの破線で示した部分とクランパー１の下フランジ１ｂが重なってしまうため、クランパー駆動機構２のクランパー保持部２ａのクランパー姿勢保持アーム３の保持側をクランパーフランジ径より小さな円で保持せず、図７で示したクランパー駆動機構２のクランパー保持切り欠き部２ｄを設けることにより、クランパー姿勢保持アーム３の姿勢保持によってクランパー１の下フランジ１ｂがクランパー駆動機構２のクランパー保持部２ａ下面と接触することなく、クランパー１を平行な姿勢に保持することができる。
【００５０】
また、図９に示すクランパー１の第２の位置において、クランパー姿勢保持アーム３がこの姿勢に回動してきた時点で、これ以上回動することがないようにクランパー駆動機構２に回転防止部材２ｆを設け、クランパー姿勢保持アーム３がクランパー駆動機構２の回転防止部材２ｆと当接することにより、クランパー姿勢保持アーム３の回動が阻止されると、クランパー姿勢保持アーム３は、クランパー姿勢保持部材駆動操作部３ｃにて、装置本体１５の内部に固定されているホルダー部材４上に具備されたクランパー姿勢保持部材駆動部４ａと当接しており、前述したように、クランパー駆動機構２上に回動支点を設け、係合されているので、クランパー姿勢保持アーム３の動きが完全に停止すると、クランパー駆動機構２の回動も停止するストッパー機能を有することになり、クランパー姿勢保持アーム３によってクランパー１の保持姿勢が制御し易くなる。
【００５１】
また、前述したように、クランパー姿勢保持アーム３のクランパー保持部３ａがクランパー駆動機構２のクランパー保持部２ａの成す所定平面範囲内に保持され、クランパー１の回転運動に影響を与えることがないようにその位置を保つためには、クランパー姿勢保持アーム３のクランパー保持部３ａのクランパー１のフランジ１ａ，１ｂ間内での厚さが前記クランパー駆動機構２のクランパー保持部２ａの厚さに対して同じかそれ以下であることが有用である。
【００５２】
また、クランパー姿勢保持アーム３のクランパー駆動機構２に当接するクランパー姿勢保持部材ストッパー３ｄを磁石などの磁性体で構成することにより、クランパー姿勢保持アーム３のクランパー姿勢保持部材ストッパー３ｄがクランパー駆動機構２のクランパー保持部２ａに当接して磁力で吸着されるので、クランパー姿勢保持アーム３を付勢スプリング５，５により当接面に付勢する必要が無くなり、付勢スプリング５，５を具備しなくても機構を構成することが可能となる。
【００５３】
【発明の効果】
本発明によれば、光ディスクやカートリッジに内蔵された光ディスクなどの光ディスクメディアを操作可能にするため、クランパー駆動機構を具備することが必要であるが、カートリッジサイズの影響によるクランパー駆動機構の駆動量を増加させることなく、クランパーの逃げ量を確保するために、クランパー駆動機構にクランパーを別駆動する補助部材としてクランパー姿勢保持部材を設けてクランパーを光ディスクに対して常に平行に保持することにより、装置全体の薄型化を図ることが可能とした光ディスク装置を得ることができる。
【図面の簡単な説明】
【図１】本発明に係る一実施形態の光ディスク装置の要部の構成を示す上面図。
【図２】本発明に係る一実施形態の光ディスク装置のクランパーの第１の位置における光ディスクのチャッキング状態を示す側面図。
【図３】本発明に係る一実施形態の光ディスク装置のクランパーの第２の位置における光ディスクのチャッキング解放状態を示す側面図。
【図４】本発明に係る一実施形態の光ディスク装置のクランパーの第１の位置における光ディスクのチャッキング状態を詳細に示す側面図。
【図５】本発明に係る一実施形態の光ディスク装置のクランパーの第１の位置から第２の位置への移動中間位置における光ディスクのチャッキング解放途中の状態を詳細に示す側面図。
【図６】本発明に係る一実施形態の光ディスク装置のクランパーの第２の位置における光ディスクのチャッキング解放状態を詳細に示す側面図。
【図７】本発明に係る一実施形態の光ディスク装置の要部の構造を詳細に示す上面図。
【図８】本発明に係る一実施形態の光ディスク装置のクランパーの第１の位置におけるクランパー姿勢保持部材の周辺を詳細に示す側面図。
【図９】本発明に係る一実施形態の光ディスク装置のクランパーの第２の位置におけるクランパー姿勢保持部材の周辺を詳細に示す側面図。
【図１０】従来の光ディスク装置の要部の構成を示す上面図。
【図１１】従来の光ディスク装置のクランパーの第１の位置における光ディスクのチャッキング状態を示す側面図。
【図１２】従来の光ディスク装置のクランパーの第２の位置における光ディスクのチャッキング解放状態を示す側面図。
【符号の説明】
１  クランパー
１ａ  上フランジ
１ｂ  下フランジ
２  クランパー駆動機構
２ａ  クランパー保持部
２ｂ−２ｂ´  クランパー駆動機構回動支点
２ｃ  クランパー駆動操作部
２ｄ  クランパー保持切り欠き部
２ｅ  クランパー姿勢保持部材支点部
２ｆ  回転防止部材
３  クランパー姿勢保持アーム（クランパー姿勢保持部材）
３ａ  クランパー保持部
３ｂ  クランパー姿勢保持部材回動支点
３ｃ  クランパー姿勢保持部材駆動操作部
３ｄ  クランパー姿勢保持部材ストッパー
４  ホルダー部材
４ａ  クランパー姿勢保持部材駆動部
５  付勢スプリング
６  付勢スプリング
７  トレイ
７ａ  トレイカム部
８  外フレーム
９  スピンドルモータ
９ａ  ターンテーブル
１０  ディスクドライブシャーシ
１１  クランパー内蔵密閉型カートリッジ
１２  ディスク背面開放型カートリッジ
１３  光ディスクメディア
１３ａ  光ディスク
１５  装置本体
２０  光ディスクドライブ装置
【図１】
2004362627.tif 000003
【図２】
2004362627.tif 000004
【図３】
2004362627.tif 000005
【図４】
2004362627.tif 000006
【図５】
2004362627.tif 000007
【図６】
2004362627.tif 000008
【図７】
2004362627.tif 000009
【図８】
2004362627.tif 000010
【図９】
2004362627.tif 000011
【図１０】
2004362627.tif 000012
【図１１】
2004362627.tif 000013
【図１２】
2004362627.tif 000014